(57)【要約】【課題】固定台を、ネジを用いることなく簡単に基板に取り付けられるようにする。固定台を小型化する。【解決手段】固定台１２の基板１４側の面に二つのＬ形突片３６Ａ、３６Ｂを形成する。固定台１２の中間部に幅方向に弾性片４０を形成し、その自由端側に基板側に突出する突起４２を形成する。基板１４には、二つのスロット４６Ａ、４６Ｂと穴４８を設ける。二つのスロットは、そこに入った二つＬ形突片３６Ａ、３６Ｂがｃ方向に移動できる長さを有していて、その長さ方向の一端側は二つのＬ形突片を差し込むことができるように形成され、他端側は一端側に差し込まれた二つのＬ形突片を他端側へ移動させると二つのＬ形突片の先端側張出し部３８が基板１４の裏側に引っ掛かるように形成されている。穴４８は、二つのＬ形突片がスロットの他端側にきたときに突起４２が落ち込む位置に形成されている。突起４２を穴４８に落ち込ませると、固定台１２の幅方向の移動が阻止される。【選択図】      図１
2004212839.tif 000002
【特許請求の範囲】
【請求項１】
光ケーブルの端末を固定する光ケーブル方向に長い固定台を、基板に取り付ける構造であって、
前記固定台は、基板側の面に、固定台の長手方向に間隔をあけて、二つのＬ形突片を固定台の幅方向に平行に形成し、かつ前記固定台の長手方向の中間部に、一端が固定台と一体化され他端が自由端となっている弾性片を固定台の幅方向に形成すると共に、その弾性片の自由端側に前記固定台の基板と接触する平面よりも基板側に突出する突起を形成したものからなり、
前記基板は、前記二つのＬ形突片が入る二つのスロットと前記弾性片の突起が入る穴とを設けたものからなり、
前記二つのスロットは、そこに入った二つＬ形突片が固定台の幅方向に移動できる長さを有していて、その長さ方向の一端側は二つのＬ形突片を一つずつ又は同時に差し込むことができるように形成され、他端側は一端側に差し込まれた二つのＬ形突片を他端側へ移動させると二つのＬ形突片の先端側張出し部が基板の裏側に引っ掛かるように形成されており、
前記突起が入る穴は、前記二つのＬ形突片がスロットの他端側にきたときに突起が落ち込む位置に形成されており、前記スロットの一端側に差し込まれた二つのＬ形突片をスロットの他端側へ移動させ、突起を穴に落ち込ませると、前記固定台の幅方向の移動が阻止されるようになっている、
ことを特徴とする光ケーブル端末固定台の取付け構造。
【請求項２】
請求項１記載の取付け構造であって、弾性片は、少なくとも弾性変形部分が固定台の幅内に収まるように形成されていることを特徴とする光ケーブル端末固定台の取付け構造。
【請求項３】
請求項１記載の取付け構造であって、
二つのＬ形突片のうち、一方のＬ形突片は固定台の長手方向の端部に先端側張出し部を外に向けて固定台の全幅にわたって形成され、他方のＬ形突片は固定台の幅より狭い範囲に形成され、
前記一方のＬ形突片が差し込まれる方のスロットは、当該Ｌ形突片の脚部の厚さより広く、足裏部の長さより狭い幅で、一端から他端まで同じ幅に形成され、前記他方のＬ形突片が差し込まれる方のスロットは、一端側が当該Ｌ形突片の足裏部の長さより広い幅に、他端側が当該Ｌ形突片の脚部の厚さより広く、足裏部の長さより狭い幅に形成されている、
ことを特徴とする光ケーブル端末固定台の取付け構造。
【発明の詳細な説明】
【０００１】
【発明の属する技術分野】本発明は、光ケーブルの端末を固定する固定台を、基板（函体の背面板など）に取り付ける構造に関するものである。
【０００２】
【従来の技術】光ケーブルは一般に、光ファイバ心線と、抗張力線と、外被などから構成されている。光ケーブルを、光ファイバ心線接続部や切替接続器などを収納する函体に引き込む場合には、光ケーブルの端部の外被を剥いで光ファイバ心線及び抗張力線を露出させた後、抗張力線を適当な長さに切断して、抗張力線と外被端部を基板（函体の背面板など）に固定する必要がある。
【０００３】従来、光ケーブルの端末を基板に固定する場合には、基板に光ケーブル端末固定台を取り付け、この固定台に光ケーブルの端末を固定するようにしている（例えば特許文献１参照）。
【０００４】
【特許文献１】特開平１０−３３２９４７号公報
【０００５】
【発明が解決しようとする課題】しかしながら従来の光ケーブル端末固定台は、ネジによって基板に取り付ける構造であるため、基板への取付けが面倒であり、部品点数が多くなるだけでなく、ネジ止めスペースを必要とするため小型化が困難であった。
【０００６】本発明の目的は、上記のような課題を解決した光ケーブル端末固定台の取付け構造を提供することにある。
【０００７】
【課題を解決するための手段】本発明は、光ケーブルの端末を固定する光ケーブル方向に長い固定台を、基板に取り付ける部分の構造であって、
前記固定台は、基板側の面に、固定台の長手方向に間隔をあけて、二つのＬ形突片を固定台の幅方向に平行に形成し、かつ前記固定台の長手方向の中間部に、一端が固定台と一体化され他端が自由端となっている弾性片を固定台の幅方向に形成すると共に、その弾性片の自由端側に前記固定台の基板と接触する平面よりも基板側に突出する突起を形成したものからなり、
前記基板は、前記二つのＬ形突片が入る二つのスロットと前記弾性片の突起が入る穴とを設けたものからなり、
前記二つのスロットは、そこに入った二つＬ形突片が固定台の幅方向に移動できる長さを有していて、その長さ方向の一端側は二つのＬ形突片を一つずつ又は同時に差し込むことができるように形成され、他端側は一端側に差し込まれた二つのＬ形突片を他端側へ移動させると二つのＬ形突片の先端側張出し部が基板の裏側に引っ掛かるように形成されており、
前記突起が入る穴は、前記二つのＬ形突片がスロットの他端側にきたときに突起が落ち込む位置に形成されており、前記スロットの一端側に差し込まれた二つのＬ形突片をスロットの他端側へ移動させ、突起を穴に落ち込ませると、前記固定台の幅方向の移動が阻止されるようになっている、
ことを特徴とするものである。
【０００８】このような構造にすると、ネジを用いることなく、簡単に固定台を基板に取り付けることが可能となる。
【０００９】本発明の取付け構造において、弾性片は、少なくとも弾性変形部分が固定台の幅内に収まるように形成されていることが好ましい。
【００１０】このようにすると、固定台の側方への出っ張りを小さくすることができ、固定台の小型化を図ることができる。
【００１１】本発明の取付け構造では、二つのＬ形突片のうち、一方のＬ形突片は固定台の長手方向の端部に先端側張出し部を外に向けて固定台の全幅にわたって形成され、他方のＬ形突片は固定台の幅より狭い範囲に形成され、
前記一方のＬ形突片が差し込まれる方のスロットは、当該Ｌ形突片の脚部の厚さより広く、足裏部の長さより狭い幅で、一端から他端まで同じ幅に形成され、前記他方のＬ形突片が差し込まれる方のスロットは、一端側が当該Ｌ形突片の足裏部の長さより広い幅に、他端側が当該Ｌ形突片の脚部の厚さより広く、足裏部の長さより狭い幅に形成されている、
ことが好ましい。
【００１２】このような構造にすると、固定台を基板に取り付ける際に固定台の幅方向の移動量を少なくできると共に、固定台の取付け状態の安定性を向上させることができる。
【００１３】
【発明の実施の形態】以下、本発明の実施の形態を、図面を参照して詳細に説明する。
【００１４】図１ないし図４は本発明の一実施形態を示す。図において、１０は光ケーブル、１２は光ケーブル１０の端末を固定する固定台、１４は固定台１２を取り付ける基板である。基板１４は例えば光ケーブル１０が導入される函体の背面板であるが、それ以外のものであってもよい。
【００１５】光ケーブル１０は、端部の外被１６を剥いで光ファイバ心線１８及び抗張力線２０を露出させ、抗張力線２０を引留に必要な長さに切断してある。抗張力線２０には引留ブロック２２がネジ２４により固定される。引留ブロック２２は中心に抗張力線２０を挿通する穴２６を有し、両側面に凹溝２８を有している。
【００１６】固定台１２は光ケーブル１０の方向に長く、その一端側には前記引留ブロック２２を収容する一対の側壁３０が一体に形成され、他端側には光ケーブル１０の外被１６の部分を締め付けるバンド（図示せず）を通すためのバンド穴３２が形成されている。また一対の側壁３０の内面には側壁の高さ方向に凸条３４が形成されている。
【００１７】また固定台１２の基板１４側の面には、一端側に第一のＬ形突片３６Ａが、他端側に第二のＬ形突片３６Ｂが形成されている。二つのＬ形突片３６Ａ、３６Ｂは固定台１２の幅方向に平行に形成されている。第一のＬ形突片３６Ａは固定台１２の全幅にわたって形成されているが、第二のＬ形突片３６Ｂは固定台１２の幅方向の中央部に固定台１２の幅より狭い幅で形成されている。二つのＬ形突片３６Ａ、３６Ｂの先端側張出し部３８は互いに反対方向に（外向きに）張り出すように形成されている。
【００１８】また固定台１２の長手方向の中間部には、一端が固定台１２と一体化され他端が自由端となっている弾性片４０が固定台１２の幅方向に形成されている。この弾性片４０の自由端には、固定台１２の基板１４と接触する平面Ｐ（図２参照）よりも基板１４側に突出する突起４２が形成されている。また弾性片１２の自由端には弾性片１２の延長方向に指掛け部４４が突設されている。弾性片４０は、突起４２及び指掛け部４４が固定台１２の側面から若干突出するが、弾性変形する部分が固定台１２の幅内に収まるように形成されている。これは、固定台１２の側方への出っ張りを小さくして、固定台１２の設置スペースを小さくするためである。なお弾性片４０は、弾性変形する部分だけでなく突起４２の部分まで固定台１２の幅内に収まるように形成することもできる。指掛け部４４は固定台１２の側面から突出させておくことが好ましい。
【００１９】次に基板１４には、前記固定台１２の二つのＬ形突片３６Ａ、３６Ｂが入る二つのスロット４６Ａ、４６Ｂと、弾性片４０の突起４２が入る穴４８とが形成されている。
【００２０】二つのスロット４６Ａ、４６Ｂは、そこに入ったＬ形突片３６Ａ、３６Ｂがそれぞれ固定台１２の幅方向に所定の距離だけ移動できる長さｖ１、ｖ２を有している（図２参照）。第一のＬ形突片３６Ａが入る方のスロット４６Ａは、一端から他端まで同じ幅ｗ１で形成され、その幅ｗ１はＬ形突片３６Ａの脚部の厚さｔ１より広く、足裏部の長さｕ１より狭く設定されている。第二のＬ形突片３６Ｂが入る方のスロット４６Ｂは、一端側がＬ形突片３６Ｂの足裏部の長さｕ２より広い幅ｗ３に、他端側がＬ形突片３６Ｂの脚部の厚さｔ２より広く、足裏部の長さｕ２より狭い幅ｗ２に形成されている。
【００２１】スロット４６Ａの幅ｗ１は、第一のＬ形突片３６Ａの先端側張出し部３８をくぐらす必要があるので、Ｌ形突片３６Ａの脚部の厚さｔ１より大きく設定されている。一方、スロット４６Ｂの幅ｗ２は第二のＬ形突片３６Ｂの脚部の厚さｔ２と同じかそれより僅かに大きい程度とする。これは固定台１２を基板１４に取り付けたときのガタツキを小さくするためである。また二つのスロット４６Ａ、４６Ｂの内辺間の距離Ｅは、二つのＬ形突片３６Ａ、３６Ｂの内面間の距離Ｄと同じかそれより僅かに大きい程度とする。これは固定台１２を基板１４に取り付けたときに、第一のＬ型突片３６Ａの内面Ｆがスロット４６Ａの内側の内面Ｇに接するようにするためである。
【００２２】二つのＬ形突片３６Ａ、３６Ｂを二つのスロット４６Ａ、４６Ｂに差し込むときは、まず固定台１２を第一のＬ形突片３６Ａ側が基板１４に近づくように傾けながら、第一のＬ形突片３６Ａをその先端側張出し部３８から第一のスロット４６Ａに差し込む（図１の矢印ａ）、次に固定台１２の傾きを直すようにして、第二のＬ形突片３６Ａを第二のスロット４６Ｂの一端側に差し込む（矢印ｂ）。この段階では図３（イ）、（ロ）に示すように、第一のＬ形突片３６Ａの先端側張出し部３８が基板１４の裏側に引っ掛かるが、第二のＬ形突片３６Ｂの先端側張出し部３８は基板１４の裏側に引っ掛かっていない。この後、固定台１２を矢印ｃ方向に押して、二つのＬ形突片３６Ａ、３６Ｂをスロット４６Ａ、４６Ｂの他端側へ移動させると、図４（イ）（ロ）に示すように、二つのＬ形突片３６Ａ、３６Ｂの先端側張出し部３８が両方とも基板１４の裏側に引っ掛かるようになる。
【００２３】一方、弾性片４０の突起４２が入る穴４８は、前記二つのＬ形突片３６Ａ、３６Ｂが二つのスロット４６Ａ、４６Ｂの他端側にきたときに、突起４８が落ち込む位置に形成されている。つまり、図３の段階では、同図（ハ）に示すように突起４８が基板１４の表面に押し付けられ、弾性片４０が弾性変形しており、図４のように二つのＬ形突片３６Ａ、３６Ｂが二つのスロット４６Ａ、４６Ｂの他端側にきたときに初めて同図（ハ）のように突起４２が弾性片４０の弾性復元力で穴４８に落ち込むことになる。突起４２が穴４８に落ち込むときには、パチッという手応えがあるので、Ｌ形突片３６Ａ、３６Ｂが適正位置まで移動したことを確認できる。突起４２が穴４８に落ち込むと、固定台１２は幅方向に移動できなくなるため、図４の状態、すなわち二つのＬ形突片３６Ａ、３６Ｂの先端側張出し部３８が両方とも基板１４の裏側に引っ掛かった状態が保持される。これによって固定台１２が基板１４から外れなくなる。
【００２４】以上のようにしてネジを用いることなく固定台１２を簡単に基板１４に取り付けることができる。なお固定台１２基板１４から取り外す必要が生じたときは、指掛け部４４を手指で手前に引き、弾性片４０を弾性変形させて、突起４２を穴４８から脱出させた後、取付け時と反対の手順を踏めばよい。
【００２５】図４のように固定台１２を基板１４に取り付けた状態で、固定台１２に光ケーブル１０の端末を固定する。この作業は、図１のように光ケーブル１０の抗張力線２０を挿通した引留ブロック２２を、固定台１２の両側壁３０の間に、凹溝２８を凸条３４に沿ってスライドさせるようにして装着し、その後、バンド穴３２に予め通してあるバンド（図示せず）で光ケーブル１０の外被１６の部分を締め付ける。その後、ネジ２４を締め付けて、引留ブロック２２を抗張力線２０に固定すればよい。このようにして簡単に光ケーブル１０の端末を基板１４に固定することができる。
【００２６】前述のように第一のＬ型突片３６Ａの内面Ｆがスロット４６Ａの内側の内面Ｇに接していると、光ケーブル１０が引張られたときに、第一のＬ型突片３６Ａの内面Ｆが固定台の全幅でスロット４６Ａの内側の内面Ｇに引っ掛かるため、大きな引張り荷重に耐えられる。逆に光ケーブル１０が押し込まれたときは、第二のＬ形突片３６Ｂが押込み荷重に耐えることになるが、押込み荷重は一般に引張り荷重より小さいので、幅の狭い第二のＬ形突片３６Ｂでも十分耐えることができる。
【００２７】以上の実施形態では、固定台１２の二つのＬ形突片３６Ａ、３６Ｂの先端側張出し部３８を互いに反対側に向けて張り出させたが、第二のＬ形突片３６Ｂの先端側張出し部３８は第一のＬ形突片３６Ａの先端側張出し部３８と同方向に張り出させてもよい。その場合は、基板１４の第二のスロット４６Ｂの形を反転した形にすればよい。また第一のスロット４６Ａの一端側を、第一のＬ形突片３６Ａがそのまま入るように幅を広くしておけば、二つのＬ形突片３６Ａ、３６Ｂを同時に二つのスロット４６Ａ、４６Ｂに差し込むことができる。その後、ｃ方向に移動させれば上記実施形態とほぼ同様な取付け状態を得ることができる。
【００２８】また本発明は、固定台を基板に取り付ける構造の発明であるので、固定台に光ケーブルの端末を固定する部分の構造は実施形態のものに限定されない。例えば前記特許文献１に開示されているような構造であってもよい。
【００２９】
【発明の効果】以上説明したように本発明によれば、光ケーブルの端末を固定する固定台を、ネジを用いることなく、基板に簡単に固定することができる。また部品点数がすくなくなるのでコストダウンを図ることができると共に、ネジ止めのスペースが不要となるため、固定台を小型化することができる。
【図面の簡単な説明】
【図１】本発明に係る光ケーブル端末固定台取付け構造の一実施形態を示す分解斜視図。
【図２】図１の実施形態における（イ）は固定台の側面図、（ロ）は基板の正面図。
【図３】図１の実施形態で、固定台を基板に取り付ける途中の段階を示す、（イ）は正面図、（ロ）は側面図、（ハ）は（イ）のハ−ハ線断面図。
【図４】図１の実施形態で、固定台を基板に取り付けた状態を示す、（イ）は正面図、（ロ）は側面図、（ハ）は（イ）のハ−ハ線断面図。
【符号の説明】
１０：光ケーブル
１２：固定台
１４：基板
１６：外被
１８：光ファイバ心線
２０：抗張力線
２２：引留ブロック
３６Ａ、３６Ｂ：Ｌ形突片
３８：先端側張出し部
４０：弾性片
４２：突起
４６Ａ、４６Ｂ：スロット
４８：穴
【図１】
2004212839.tif 000003
【図２】
2004212839.tif 000004
【図３】
2004212839.tif 000005
【図４】
2004212839.tif 000006